(57)【要約】【課題】更新前のプログラムを再度アップロードすることなく、更新前後のプログラムを実行することができるように地震計を構成する。【解決手段】地震振動を検出する振動検出手段２と、この振動検出手段２により検出された振動データを処理する処理手段３と、この処理手段３により振動データを処理するプログラムが記憶され、電気的に書き換え可能な複数の記憶手段８３，８４と、この記憶手段８３，８４に記憶されたプログラムを読み取る読取手段８と、この読取手段８によって読み取るプログラムを切り替える切替手段８と、を備えた。【選択図】図１
2006047105.tif 000002
【特許請求の範囲】
【請求項１】
地震振動を検出する振動検出手段と、
この振動検出手段により検出された振動データを処理する処理手段と、
この処理手段により前記振動データを処理するプログラムが記憶され、電気的に書き換え可能な複数の記憶手段と、
この記憶手段に記憶されたプログラムを読み取る読取手段と、
この読取手段によって読み取るプログラムを切り替える切替手段と、
を備えたことを特徴とする地震計。
【請求項２】
地震振動を検出する振動検出手段と、
この振動検出手段により検出された振動データを処理する処理手段と、
この処理手段により前記振動データを処理するプログラムが複数記憶され、各プログラムが記憶された記憶領域毎に電気的に書き換え可能な記憶手段と、
この記憶手段に記憶されたプログラムを読み取る読取手段と、
この読取手段によって読み取るプログラムを切り替える切替手段と、
を備えたことを特徴とする地震計。
【請求項３】
請求項１又は２に記載の地震計を複数有し、
各地震計に通信回線を介して接続された操作手段を備えたことを特徴とする地震計測システム。
【発明の詳細な説明】
【技術分野】
【０００１】
本発明は、地震計及び地震計測システムに関する。
【背景技術】
【０００２】
従来、複数の地点に設置された地震計において、その動作制御に用いられるプログラムを変更するに際し、通信回線を介してプログラムの変更を指令し、新プログラムの送信終了後にチェックを行い、新プログラムへの変更が不完全な場合は旧プログラムで作動させるように構成したものがある（例えば、特許文献１参照。）。
このような構成とすることにより、遠隔地から地震計のプログラムを変更することができるとともに、プログラムの変更中に通信回線が切断された場合であっても、地震計は旧プログラムで作動するので停止することがなくなる。
ここで、初期の旧プログラムは、例えば、地震計内の制御部が有するＲＯＭに記憶されており、送信される新プログラムは、ＲＯＭとは別の領域に設けられたフラッシュメモリ等に記憶される。したがって、バージョンアップ等によりプログラムが更新されると、最新のプログラムはフラッシュメモリに次々と書き換えられることとなる。
【特許文献１】特開平１０−１４２３４６号公報
【発明の開示】
【発明が解決しようとする課題】
【０００３】
しかし、新プログラムに更新することにより、更新前の旧プログラムに比べて機能がどれほど向上したかを確認したい場合がある。そのためには、更新前の旧プログラムでの振動計測、データ処理が必要になるが、従来の地震計では、新プログラムが記憶されたフラッシュメモリは更新の度に次々に書き換えられてしまうため、更新した後は更新前の旧プログラムで振動計測やデータ処理を行うことができず、フラッシュメモリに再度旧プログラムをアップロードする必要があった。
【０００４】
そこで、本発明は、上記課題を解決するためになされたものであり、更新前のプログラムを再度アップロードすることなく、更新前後のプログラムを実行できる地震計及び地震計測システムを提供することを目的とする。
【課題を解決するための手段】
【０００５】
以上の課題を解決するため、請求項１に記載の発明は、地震計であって、地震振動を検出する振動検出手段と、この振動検出手段により検出された振動データを処理する処理手段と、この処理手段により前記振動データを処理するプログラムが記憶され、電気的に書き換え可能な複数の記憶手段と、この記憶手段に記憶されたプログラムを読み取る読取手段と、この読取手段によって読み取るプログラムを切り替える切替手段と、を備えたことを特徴とする。
【０００６】
請求項２に記載の発明は、地震計であって、地震振動を検出する振動検出手段と、この振動検出手段により検出された振動データを処理する処理手段と、この処理手段により前記振動データを処理するプログラムが複数記憶され、各プログラムが記憶された記憶領域毎に電気的に書き換え可能な記憶手段と、この記憶手段に記憶されたプログラムを読み取る読取手段と、この読取手段によって読み取るプログラムを切り替える切替手段と、を備えたことを特徴とする。
【０００７】
請求項３に記載の発明は、地震計測システムであって、請求項１又は２に記載の地震計を複数有し、各地震計に通信回線を介して接続された操作手段を備えたことを特徴とする。
【発明の効果】
【０００８】
請求項１に記載の発明によれば、振動検出手段により検出された振動データは処理手段により処理されるが、その処理プログラムを記憶する記憶手段を複数備えているので、プログラムを更新する際には、各記憶手段に順に記憶させていくことにより、少なくとも更新直前のプログラムはいずれかの記憶手段に記憶されていることになる。そして、更新前のプログラムと更新後のプログラムとを切替手段により切り替えて読取手段にプログラムを読み取らせることができる。
従って、プログラムを次々に更新しても、更新直前のプログラムで振動計測やデータ処理を行うことができるので、記憶手段に更新直前のプログラムを再度アップロードすることなく、更新前後のプログラムの双方を適宜実行することができる。また、切替手段を設けることにより、計測状況に応じて実行すべきプログラムを適宜選択することができるので、データや処理性能の比較を簡単に行うことができる。
【０００９】
請求項２に記載の発明によれば、振動検出手段により検出された振動データは処理手段により処理されるが、その処理プログラムを記憶する記憶手段には、複数の記憶領域が形成されているので、プログラムを更新する際には、各記憶領域に順に記憶させていくことにより、少なくとも更新直前のプログラムはいずれかの記憶領域に記憶されていることになる。そして、更新前のプログラムと更新後のプログラムとを切替手段により切り替えて読取手段にプログラムを読み取らせることができる。
従って、プログラムを次々に更新しても、更新直前のプログラムで振動計測やデータ処理を行うことができるので、記憶手段に更新直前のプログラムを再度アップロードすることなく、更新前後のプログラムの双方を適宜実行することができる。また、切替手段を設けることにより、計測状況に応じて実行すべきプログラムを適宜選択することができるので、データや処理性能の比較を簡単に行うことができる。
【００１０】
請求項３に記載の発明は、複数の地震計に通信回線を介して接続された操作手段を備えるので、地震計を互いに離れた遠隔地に設置することができる。また、操作手段から通信回線を介して各地震計に対してプログラムの更新指示、実行するプログラムの切替指示を行うことができる。
従って、複数の地震計が互いに離れた遠隔地に設置されていたとしても、操作手段からの操作によりプログラムの更新、実行すべきプログラムの切替を簡単に行うことができる。よって、プログラムの更新のために人が各地震計の設置場所に行く必要がなくなるので、プログラムの更新を簡単に行うことができる。また、地震計毎に異なるプログラムで計測、データ処理を行うことができる。
【発明を実施するための最良の形態】
【００１１】
以下、図面を参照して、本発明に係る地震計及び地震計測システムの最良の形態について詳細に説明する。
＜地震計及び地震計測システムの構成＞
図１に示すように、地震計１は、操作手段としての外部端末２０に電話回線等からなる通信回線３０を介して接続されている。外部端末２０は、互いに異なる地点に設置された複数の地震計１に接続され、各地震計１に指示信号を送信することができるとともに、各地震計１から送信された振動データ等の情報を受信できるようになっている。このように、複数の地震計１と、外部端末２０と、通信回線３０と、により、地震計測システムＳが構成されている。
地震計１は、地震振動を検出する振動検出手段としての検出センサ２と、検出センサ２により検出された振動データを処理する処理手段としての処理回路３と、処理回路３にて処理された情報を表示する表示部４とを有している。また、処理回路３には通信回線３０を介して外部端末２０と情報の送受信を行うための通信ポート５が接続される。すなわち、地震計１は外部端末２０と通信可能に接続されている。
【００１２】
処理回路３は、振動データを所定の設定状態で処理するメインルーチン制御を行い、検出センサ２に直接的に接続されるＩ／Ｏインターフェース部６と、Ｉ／Ｏインターフェース部６から入力されるアナログの振動データをデジタルの振動データに変換するＡ／Ｄ変換部７と、Ａ／Ｄ変換部７からデジタルの振動データが入力される制御部８とを有する。さらに、処理回路３は、例えば、プリンタのような外部出力機器１０に直接的に接続されるＲＳインターフェース部９を有している。
【００１３】
制御部８は、各種処理を行うＣＰＵ８１と、地震計１の動作制御を行うためのプログラムが記憶された制御用ＲＯＭ８２と、制御部８が振動データの処理に用いる処理プログラム８３ａ，８４ａが記憶された記憶手段としてのフラッシュメモリ８３，８４とを有する。
制御用ＲＯＭ８２には、フラッシュメモリ８３，８４に記憶された処理プログラム８３ａ，８４ａをＣＰＵ８１が読み取って実行させるための読取プログラム８２ａが記憶されている。ここで、ＣＰＵ８１が読取プログラム８２ａを実行することにより、制御部８は読取手段として機能する。
また、制御用ＲＯＭ８２には、外部端末２０から指示に基づき、二つのフラッシュメモリ８３，８４に記憶された処理プログラム８３ａ，８４ａのうち、ＣＰＵ８１に読み取らせるプログラムに制御を切り替える切替プログラム８２ｂが記憶されている。ここで、ＣＰＵ８１が切替プログラム８２ｂを実行することにより、制御部８は切替手段として機能する。
【００１４】
フラッシュメモリ８３，８４は、電気的に書き換え可能な不揮発性メモリであり、制御部８に二つ設けられている。フラッシュメモリ８３，８４には、処理プログラム８３ａ，８４ａが記憶され、ＣＰＵ８１はこの処理プログラム８３ａ，８４ａに基づいて定常的に振動データの処理を行い、表示部４に振動データに関する情報を定常的に表示する。これにより、地震計１の制御部８に処理動作に不具合を生じない限り、継続して地震振動を観測することができるようになっている。
ここで、フラッシュメモリ８３，８４が制御部８に二つ設けられているのは、通常、処理プログラムはバージョンアップ等により更新されるが、フラッシュメモリが一つしかないと、処理プログラムが更新されると更新前の処理プログラムが消去されてしまうため、更新前後の機能の比較を行うことができなくなってしまうからである。すなわち、この二つのフラッシュメモリ８３，８４に処理プログラムを交互に更新していくことにより、更新前後の二つの処理プログラムを併存させることができ、更新前後の機能の比較を行うことができる。
【００１５】
＜プログラム更新方法＞
次に、地震計１の処理プログラム８３ａ，８４ａを更新する際の手順について説明する。
図２に示すように、二つのフラッシュメモリ８３，８４のうち、一方のフラッシュメモリ８３に処理プログラムＡが記憶され、他方のフラッシュメモリ８４に処理プログラムＢが記憶されている状態を初期状態とする。この初期状態から処理プログラムＣに更新する場合、新しい処理プログラムＣをフラッシュメモリ８３に上書きする。これにより、フラッシュメモリ８３には処理プログラムＣが記憶され、フラッシュメモリ８４には処理プログラムＢが記憶されていることになる。さらに、処理プログラムＤに更新する場合、新しい処理プログラムＤをフラッシュメモリ８４に上書きする。これにより、フラッシュメモリ８３には処理プログラムＣが記憶され、フラッシュメモリ８４には処理プログラムＤが記憶されていることになる。すなわち、更新する処理プログラムＣ，Ｄを二つのフラッシュメモリ８３，８４に交互に記憶させていくことにより、フラッシュメモリ８３，８４には、更新直前の処理プログラムＣと更新後の処理プログラムＤが併存して記憶されていることになる。
【００１６】
＜実施形態の作用効果＞
このように、本発明に係る地震計１及び地震計測システムＳによれば、検出センサ２により検出された振動データは、ＣＰＵ８１が処理プログラム８３ａ，８４ａを実行することにより処理されるが、その処理プログラム８３ａ，８４ａを記憶するフラッシュメモリ８３，８４を複数備えているので、処理プログラム８３ａ，８４ａをバージョンアップ等により更新する際には、二つのフラッシュメモリ８３，８４に交互に更新すべき処理プログラムを記憶させていくことにより、少なくとも更新直前の処理プログラム８３ａ，８４ａは、いずれかのフラッシュメモリ８３，８４に記憶されていることになる。そして、更新前の処理プログラム８３ａ，８４ａと更新後の処理プログラムは、外部端末２０からの指示に基づいて、ＣＰＵ８１が読取プログラム８２ａ及び切替プログラム８２ｂを実行することにより、処理に用いる処理プログラム８３ａ，８４ａを適宜選択して読み取らせることができる。
従って、処理プログラム８３ａ，８４ａを次々に更新しても、更新直前の処理プログラム８３ａ，８４ａで振動計測やデータ処理を行うことができるので、フラッシュメモリ８３，８４に更新直前の処理プログラム８３ａ，８４ａを再度アップロードすることなく、更新前後の処理プログラム８３，８４の双方を適宜実行することができる。
また、ＣＰＵ８１が切替プログラム８２ｂを実行することにより、計測状況に応じて実行すべき処理プログラム８３ａ，８４ａを適宜選択することができるので、データや処理性能の比較を簡単に行うことができる。
【００１７】
また、複数の地震計１に通信回線３０を介して接続された外部端末２０を備えるので、地震計１を互いに離れた遠隔地に設置することができる。また、外部端末２０から通信回線３０を介して各地震計１に対して処理プログラム８３ａ，８４ａの更新指示、実行する処理プログラム８３ａ，８４ａの切替指示を行うことができる。
従って、複数の地震計１が互いに離れた遠隔地に設置されていたとしても、外部端末２０からの操作により処理プログラム８３ａ，８４ａの更新、実行すべき処理プログラム８３ａ，８４ａの切替を簡単に行うことができる。よって、処理プログラム８３ａ，８４ａの更新のために人が各地震計１の設置場所に行く必要がなくなるので、処理プログラム８３ａ，８４ａの更新を簡単に行うことができる。また、地震計１毎に異なる処理プログラムで計測、データ処理を行うことができる。
【００１８】
なお、本発明は、上記実施形態に限定されるものではない。例えば、地震計１と外部端末２０とを接続する通信回線３０は有線でも無線であってもよい。また、フラッシュメモリ８３，８４も二つに限らず、複数設けられていればその数は問わない。また、書き換え可能な記憶手段は、フラッシュメモリ８３，８４に限らず、その他の書き換え可能なＥＥＰＲＯＭを用いてもよい。また、本実施形態においては、二つの処理プログラムを併存させるために、制御部８に二つのフラッシュメモリ８３，８４を設けたが、図３に示すように、地震計１に一つのフラッシュメモリ８５を設け、この一つのフラッシュメモリ８５の区切られた記憶領域８６，８７毎に処理プログラムＥ，Ｆを記憶させるように構成し、この記憶領域８６，８７毎に処理プログラムＧ，Ｈを書き換えるようにしてもよい。このように構成することにより、本実施形態と同様の効果を奏するほか、フラッシュメモリ８５のスロットが一つで済むのでフラッシュメモリ８５の設置に必要な面積を小さくすることができ、制御部８、ひいては処理回路３の小型化を図ることができる。その他、本発明は、発明の要旨を逸脱しない範囲内で自由に変更、改良が可能である。
【図面の簡単な説明】
【００１９】
【図１】本実施形態の地震計及び地震計測システムの概略構成を示すブロック図である。
【図２】本実施形態の地震計における処理プログラムの更新手順を説明する模式図である。
【図３】他の例の地震計における処理プログラムの更新手順を説明する模式図である。
【符号の説明】
【００２０】
１  地震計
２  検出センサ（振動検出手段）
３  処理回路（処理手段）
８  制御部（読取手段、切替手段）
８３，８４  フラッシュメモリ（記憶手段）
２０  外部端末（操作手段）
Ｓ  地震計測システム
【図１】
2006047105.tif 000003
【図２】
2006047105.tif 000004
【図３】
2006047105.tif 000005